(57)【要約】【課題】簡易且つコンパクトな構成であって製造容易であり、設置にスペースを取らず、しかも十分な通気性能と確実な雨雪侵入防止機能とを兼ね備えた通気材を提供することを課題とする。【解決手段】上面板１の裏側に複数本の通気性パイプ２を、前記上面板１の長さ方向に延びるように定着して成り、前記通気性パイプ２はその全周面が通気自在であって、前記複数本の通気性パイプ２を通して前記長さ方向に対して直交方向及び斜交方向に通気可能であることを特徴とする。前記通気性パイプ２は、樹脂製又は金属製の線材を編成して円筒状に形成したものとすることができ、その場合、前記線材は、前記長さ方向に延びる横線材と、前記横線材に斜交する縦線材とを含むものとすることができる。【選択図】図５
2008267029.tif 000002
【特許請求の範囲】
【請求項１】
上面板の裏側に複数本の通気性パイプを、前記上面板の長さ方向に延びるように定着して成り、前記通気性パイプはその全周面が通気自在であって、前記複数本の通気性パイプを通して前記長さ方向に対して直交方向及び斜交方向に通気可能であることを特徴とする通気材。
【請求項２】
前記通気性パイプは、線材を編成して円筒状に形成したものである請求項１に記載の通気材。
【請求項３】
前記線材は、前記長さ方向に延びる横線材と、前記横線材に斜交する縦線材とを含む請求項２に記載の通気材。
【請求項４】
前記縦線材は、複数の前記横線材を螺旋状に取り巻くように配置される請求項３に記載の通気材。
【請求項５】
前記縦線材は、断面が台形状、楕円形状又は半円形状である請求項２乃至４のいずれかに記載に通気材。
【請求項６】
前記線材は樹脂製である請求項２に記載の通気材。
【請求項７】
前記複数本の通気性パイプの下側に固定してこれらを保持させる下面板を更に備える請求項１に記載の通気材。
【請求項８】
前記下面板には、前記上面板との間に互いに係合し合う連結手段が設置される請求項７に記載の通気材。
【請求項９】
請求項１乃至８のいずれかに記載の通気材を一対、各長側面同士を突合わせ連結して成る棟換気部材。
【請求項１０】
前記一対の通気材の前記上面板同士をテープを介して連結して成る請求項９に記載の棟換気部材。
【請求項１１】
前記一対の通気材の前記上面板を、連続する一枚の板材で構成した請求項９に記載の棟換気部材。
【請求項１２】
前記一対の通気材はそれぞれ前記下面板を有するものであって、前記各下面板の内端部を上方に折曲して水切りを形成した請求項９に記載の通気材。
【発明の詳細な説明】
【技術分野】
【０００１】
本発明は通気材及びそれを用いた棟換気部材、より詳細には、躯体換気のために屋根面や軒天部、あるいは、壁体の通気層内に配置され、あるいは、一対連結して小屋裏換気を行なうための棟換気部材を構成したりして用いられる通気材及びそれを用いた棟換気部材に関するものである。
【背景技術】
【０００２】
上記棟換気材としては、例えば特許第２６１０３４２号公報に記載のものが知られている（図７参照）。それは、両端面に開口する多数の通気路２０を設けた２枚の通気材２１、２２を、その通気路２０を棟方向に向けて逆Ｖ字形を呈するように連結したものであり、通気材２１、２２の通気方向両端面は、平坦且つ斜めにカットされている。
【０００３】
この構成の場合、屋根面に沿って吹き上げられてくる風、及び、それに乗って運ばれてくる雨雪は、屋根面及び通気路２０と平行に通気路２０に進入するので、強風雨時等に雨雪が通気路を通って屋根裏に滴下することを防止するためには、各通気材の長さをかなり長いものとしなければならない。このように通気路が長くなると、その分通気抵抗が増し、通気量の低下を招く。また、長尺化に伴って材料コストが嵩み、重量も増すために施工時及び運搬時に取り扱いにくくなり、また、広い設置スペースが必要となるという問題もある。
【０００４】
【特許文献１】特許第２６１０３４２号公報
【特許文献２】特許第２８０２２９２号公報
【特許文献３】特許第３１２７１３２号公報
【特許文献４】特許第３２７７２３２号公報
【特許文献５】特開２０００−２２０２６６号公報
【特許文献６】特開２００３−５６１４５号公報
【特許文献７】特開２００３−３６３１号公報
【特許文献８】特開２００６−３４８５２５号公報
【発明の開示】
【発明が解決しようとする課題】
【０００５】
本発明は、上記従来技術における問題点を解決するためになされたもので、簡易且つコンパクトな構成であって製造容易であり、設置にスペースを取らず、しかも十分な通気性能と確実な雨雪侵入防止機能とを兼ね備えた通気材を提供することを課題とする。
【課題を解決するための手段】
【０００６】
上記課題を解決するための本発明に係る通気材は、上面板の裏側に複数本の通気性パイプを、前記上面板の長さ方向に延びるように定着して成り、前記通気性パイプはその全周面が通気自在であって、前記複数本の通気性パイプを通して前記長さ方向に対して直交方向及び斜交方向に通気可能であることを特徴とする。
【０００７】
前記通気性パイプは、樹脂製又は金属製の線材を編成して円筒状に形成したものとすることができ、その場合、前記線材は、前記長さ方向に延びる横線材と、前記横線材に斜交する縦線材とを含むものとすることができ、前記縦線材は、複数の前記横線材を螺旋状に取り巻くように配置することができる。また、前記縦線材は、断面が台形状、楕円形状又は半円形状であることが好ましい。
【０００８】
更に、前記複数本の通気性パイプの下側に固定してこれらを保持させる下面板を更に備えることもある。また、前記下面板と前記上面板に、互いに係合し合う連結手段を設置することもある。
【０００９】
上記課題を解決するための本発明に係る棟換気部材は、上記通気材のいずれかを一対、各長側面側を突合わせ連結して成る。
【００１０】
前記一対の通気材は、その上面板同士をテープを介して連結することもあり、また、前記一対の通気材の前記上面板を、共通の連続する一枚の板材で構成することもある。
【００１１】
また、前記一対の通気材はそれぞれ前記下面板を有するものとし、前記各下面板の内端部を上方に折曲して水切りを形成することもある。
【発明の効果】
【００１２】
本発明は上記構成であるので、簡易且つコンパクトな構成であって製造容易であり、設置にスペースを取らず、しかも十分な通気性能と確実な雨雪侵入防止機能とを兼ね備えた通気材を提供することができる効果がある。
【発明を実施するための最良の形態】
【００１３】
本発明の実施の形態を添付図面に依拠して説明する。図１は本発明に係る通気材の一実施形態を示す図で、そこにおける通気材は、上面板１と、その裏面に設置される複数本の通気性パイプ２とから成り、更に必要に応じ、通気性パイプ２の下側に下面板３を取り付けて成る。
【００１４】
通気性パイプ２は、例えばパンチングメタルのような金属製板や樹脂製多孔板を円筒状に丸めて構成することもできるが、好ましくは、線材を網目状に編成したものを、円筒状に形成したものを用いる。線材は、金属製であってもよいが、高密度ポリエチレン等の樹脂製とすれば、通気性パイプ２の全体を一体成形することが可能となる。
【００１５】
網目状に編成する場合、横線材（長さ方向材）と縦線材（周方向材）とを直交させることとしてもよいが（その場合各目は長方形となる）、そのようにした場合には通気方向前面側から同後面側に（図１において左右方向に）、ストレートに通気する割合が多くなるので、雨雪も通り抜けやすいものとなる。そこで、本発明における通気性パイプ２としては、縦線材５が横線材４に対して斜交する、即ち、螺旋状に取り巻くように成形することが好ましい（図２乃至図４参照）。その場合は、通気方向前面側と同後面側では、縦線材５の傾斜方向が逆となるので、前面側から入った雨雪が、ストレートに後面側に抜ける割合がかなり減少する。
【００１６】
更に好ましくは、少なくとも縦線材５の断面が台形状、楕円形状又は半円形状等となるようにし（図３参照）、また、横線材４は、若干芯方向に延出したものとする（図４参照）。そのようにした場合は、縦線材５の両側斜面に当たった雨雪が斜め方向に振り分けられ、線材４、５に当たらずに直進してくる雨雪及び隣接する縦線材５に当たって斜め方向に振り分けられた雨雪と衝突し合い、また同時に、若干芯方向に延びる横線材４に当たって流れ方向が上方向又は下方向に偏向された雨雪とも衝突し合い、以て、雨雪のストレートな進行阻止が促進される。
【００１７】
通気性パイプ２は上面板１の裏面に、両面テープ、接着剤等を介して複数本、例えば、３本並べて固定する。その場合、通気性パイプ２同士を接触状態にしてもよいし、適宜間隔を置くこととしてもよい。軒天換気部材として、あるいは、壁面通気用部材等として利用する場合は、この上面板１と複数の通気性パイプ２から成る構成、あるいは、それに下面板３を加えた構成にて使用することができる（図６、図７参照）。
【００１８】
下面板３を上面板１に一体化するために、互いに係合し合う連結手段を設けることもある。例えば、下面板３の通気性パイプ２定置部の間に、適宜間隔置きに嵌入棒１１を立設し、一方上面板１には、その嵌入棒１１対応位置に、嵌入棒１１が係入する受け筒１２を設けることとする（図１参照）。この場合、各嵌入棒１１を各受け筒１２内に挿入係合させることにより、上面板１と下面板３とを一体化し、且つ、両板１、３間に、通気性パイプ２を配置する空間列を設けることができる。上記とは逆に、嵌入棒１１を上面板１の方に設け、受け筒１２を下面板３の方に設けることとしてもよいことはもちろんである。
【００１９】
更に、上面板１の外側端を下方に折曲し、下面板３の外側端を上方に折曲して、それぞれ係止部１３、１４を設けることもある（図１参照）。この係止部１３、１４は、通気性パイプ２の転動落下を防止する役目を果たす。
【００２０】
棟換気部材として利用する場合には、通気材を１対、長側面側を連結して用いる。そのためには、各々の上面板１の長側面側を突合せ、例えば、テープ１５止めによって連結して山形を呈するようにし（図１参照）、あるいは、上面板１として長尺の一枚板を用い、これを一対の通気材に跨がる共通のものとしてこれを山形に折曲することにより（図５参照）、両側にそれぞれ複数の通気性パイプ２が存在する形状とする。
【００２１】
特に棟換気部材の場合には、好ましくは更に、通気性パイプ２の下側に、上記と同様の方法で下面板３を定着する。下面板３は、通気性パイプ２を安定状態に保持すると共に、雨雪が棟開口３１から小屋裏内へ浸入することを防止する水切り機能を果たす。そのために、各下面板３の内端部に、その部分を上方に折曲して、適宜高さの水切り７を形成する（図１、図５）。更に、下面板３の下に、屋根面３２を伝ってくる雨雪を塞き止める発泡樹脂製のシール材８を設置し、また、通気性パイプ２の端面（木端口）に、そこを閉塞するための、適宜資材製の閉塞材９を設置することが好ましい。
【００２２】
本発明に係る通気材は、躯体換気のために屋根面や軒天あるいは壁体の通気層内に設置し、また、棟換気部材の場合は、棟開口３１を跨がせるようにして配置する。図６は、上面板１と３本の通気性パイプ２とから成る通気材２０を軒天部に設置したところを示すもので、通気材２０は垂直にして、鼻隠し３３と外壁材３４との間の隙間を塞ぐように配置される。図７は、上面板１、下面板３及び３本の通気性パイプ２から成る通気材２０を、外壁下部の通気層３５に設置したところを示すものである。また、図８は、一対の通気材２０で構成される棟換気部材２１を棟部に設置したところを示すもので、棟換気部材２１は、棟開口３１上において、桟瓦３６の上に配置されて棟桟木３７に固定され、その上に冠瓦３８が被せられている。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明に係る通気材を利用した棟換気部材の一実施形態の斜視図である。
【図２】本発明に係る通気材における通気性パイプの一実施形態の部分図である。
【図３】本発明に係る通気材における通気性パイプの一実施形態の縦断面図である。
【図４】本発明に係る通気材における通気性パイプの一実施形態の図３と直交方向の縦断面図である。
【図５】本発明に係る通気材を利用した棟換気材として構成した場合の斜視図である。
【図６】本発明に係る通気材の使用状態を示す図である。
【図７】本発明に係る通気材の他の使用状態を示す図である。
【図８】本発明に係る棟換気部材の使用状態を示す図である。
【図９】従来の棟換気部材の構成例を示す斜視図である。
【符号の説明】
【００２５】
１        上面板
２        通気性パイプ
３        下面板
４        横線材
５        縦線材
７        水切り
８        シール材
９        閉塞材
１１        嵌入棒
１２        受け筒
１３、１４  係止部
１５        テープ
２０        通気材
２１        棟換気部材
３１        棟開口
３２        屋根面
３３        鼻隠し
３４        外壁材
３５        通気層
３６        桟瓦
３７        棟桟木
３８        冠瓦
【図１】
2008267029.tif 000003
【図２】
2008267029.tif 000004
【図３】
2008267029.tif 000005
【図４】
2008267029.tif 000006
【図５】
2008267029.tif 000007
【図６】
2008267029.tif 000008
【図７】
2008267029.tif 000009
【図８】
2008267029.tif 000010
【図９】
2008267029.tif 000011